(57)【要約】【課題】ボタン電話機の表示部の表示桁数に制限があっても発信者を特定できるネームディスプレイデータ表示方法を提供する。【解決手段】外線と接続されボタン電話機を収容する交換装置として働くボタン電話主装置およびボタン電話機からなるボタン電話システムにおけるネームディスプレイデータ表示方法において、外線から着信したネームディスプレイデータが、ボタン電話機の表示部の表示桁数より大きかったときに、ネームディスプレイデータの一部を予め設定された変換データに変換してボタン電話機の表示部に表示するようにしたことを特徴とするネームディスプレイデータ表示方法。【選択図】        図３
2004336376.tif 000002
【特許請求の範囲】
【請求項１】
外線と接続されボタン電話機を収容する交換装置として働くボタン電話主装置およびボタン電話機からなるボタン電話システムにおけるネームディスプレイデータ表示方法において、
外線からの着信時のネームディスプレイデータが、ボタン電話機の表示部の表示桁数より大きかったときに、ネームディスプレイデータの一部を予め設定された変換データに変換してボタン電話機の表示部に表示するようにしたことを特徴とするネームディスプレイデータ表示方法。
【請求項２】
外線と接続されボタン電話機を収容する交換装置として働くボタン電話主装置およびボタン電話機からなるボタン電話システムにおけるネームディスプレイデータ表示方法において、
外線からの着信時のネームディスプレイデータが、ボタン電話機の表示部の表示桁数より大きかったときに、ボタン電話機の表示部の桁数分のデータを表示した後に、残りデータの表示要請があったときに残りのネームディスプレイデータをボタン電話機の表示部に表示するようにしたことを特徴とするネームディスプレイデータ表示方法。
【請求項３】
外線と接続されボタン電話機を収容する交換装置として働くボタン電話主装置およびボタン電話機からなるボタン電話システムにおけるネームディスプレイデータ表示方法において、
外線からの着信時のネームディスプレイデータが、ボタン電話機の表示部の表示桁数より大きかったときに、予め設定されたネームディスプレイデータの一部を削除してボタン電話機の表示部に表示するようにしたことを特徴とするネームディスプレイデータ表示方法。
【発明の詳細な説明】
【０００１】
【発明の属する技術分野】
本発明は、ボタン電話機を外線に接続するボタン電話システムを構成する回線交換装置であるボタン電話主装置並びにボタン電話機におけるネームディスプレイデータ表示方法に関する。
【０００２】
【従来の技術】
着信時に発信者の名前や会社名などを端末の電話機に表示するネームディスプレイのサービスが提供されている。このネームディスプレイサービスは、発信電話番号とともに発信者の名前や会社名など表示データを網から受信し、その内容を端末の電話機の表示部に表示するサービスである。このサービスは、表示する文字数が最大１０文字とされている。このサービスを受ける場合、電話機の表示可能桁数が最大表示文字数に満たない場合全てのデータを表示できない場合があり、発信者を特定できない場合がある。例えば、網から１０文字の「株式会社フナヤマ工業」の表示データが送られてきても、電話機の表示部の表示桁数が８桁であるときには、「株式会社フナヤマ」までしか表示されず、発信者が「株式会社フナヤマ工業」か「株式会社フナヤマ通商」かを特定できないので円滑な電話対応業務が行えず、せっかくのネームディスプレイのサービスを十分に享受することができない場合がある。
【０００３】
一方、ファクシミリ等の通信装置に設けた表示器に通信相手を表示する通信相手表示制御方法として、表示器の容量に合わせて適切な相手名称を表示するために、相手局の通常名称とその省略型名称とが含まれる相手局の名称を登録した名称格納部と制御部を設け、表示器の表示桁数と呼び出した通信相手局の通常名称の桁数とを比較し、通常名称の桁数が多いと判定したとき相手局の省略型名称を表示器に表示することが提案されている（例えば、特許文献１参照）。
【０００４】
この方法では、相手局毎に通常名称と省略形名称を予め登録することが必要であり、相手局の名称を登録する必要のないネームディスプレイサービスを利用するに当たっては利用価値が低いものである。
【０００５】
【特許文献１】
特開平５−１４５６８７号公報
【０００６】
【発明が解決しようとする課題】
本発明は、ネームディスプレイサービスに対応した電話機において、表示部の表示桁数に制限があっても発信者を特定できるネームディスプレイデータ表示方法を提供することを目的とする。
【０００７】
【課題を解決するための手段】
上記課題を解決するために、本発明は、外線と接続されボタン電話機を収容する交換装置として働くボタン電話主装置およびボタン電話機からなるボタン電話システムにおけるネームディスプレイデータ表示方法において、外線からの着信時のネームディスプレイデータが、ボタン電話機の表示部の表示桁数より大きかったときに、ネームディスプレイデータの一部を予め設定された変換データに変換してボタン電話機の表示部に表示するようにした。
【０００８】
また、本発明は、外線と接続されボタン電話機を収容する交換装置として働くボタン電話主装置およびボタン電話機からなるボタン電話システムにおけるネームディスプレイデータ表示方法において、外線からの着信時のネームディスプレイデータが、ボタン電話機の表示部の表示桁数より大きかったときに、ボタン電話機の表示部の桁数分のデータを表示した後に、残りデータの表示要請があったときに残りのネームディスプレイデータをボタン電話機の表示部に表示するようにした。
【０００９】
さらに、本発明は、外線と接続されボタン電話機を収容する交換装置として働くボタン電話主装置およびボタン電話機からなるボタン電話システムにおけるネームディスプレイデータ表示方法において、外線からの着信時のネームディスプレイデータが、ボタン電話機の表示部の表示桁数より大きかったときに、予め設定されたネームディスプレイデータの一部を削除してボタン電話機の表示部に表示するようにした。
【００１０】
【発明の実施の形態】
本発明にかかるネームディスプレイデータ表示方法が適用されるボタン電話システムの構成を、図１を用いて説明する。ボタン電話システムは、ボタン電話主装置１と、ボタン電話機３から構成される。ボタン電話主装置１は、外線５に接続されるとともにボタン電話機３を収容する通常のボタン電話主装置としての機能の他に、本発明にかかるネームディスプレイデータ表示方法に対応する機能を有している。
【００１１】
ボタン電話主装置１は、ボタン電話機３―外線５間の回線交換を実現するための回線交換装置であり、ＮＷ１１と、電話機伝送部１２と、演算部（ＣＰＵ）１３と、外線インタフェース部１４と、メモリ１５とを有している。
【００１２】
ＮＷ１１は、外線インタフェース部１４の音声と電話機伝送部１２を通して伝送するための信号間の変換処理などを行う手段である。
【００１３】
電話機伝送部１２は、ボタン電話主装置１とボタン電話機３間で表示データ、制御データ、ダイヤルデータ、音声通話データ等を送受信するための主装置側の電話機間インタフェースである。
【００１４】
演算部１３は、ボタン電話システムの各機能ブロックの制御と監視を行い、ボタン電話システムとして内部機能を実現するための中枢処理を行う手段である。
【００１５】
外線インタフェース１４は、演算部１３により制御され、ＩＳＤＮ／一般加入電話機などとの通信シーケンスを実現するための外部回線インタフェースである。
【００１６】
メモリ１５は、設定データ記憶領域１５１、作業用記憶領域１５２、プログラム蓄積記憶領域１５３が設けられた記憶手段である。設定データ記憶領域１５１は、ボタン電話機システムの機能を選択するための設定データを記憶する領域であり、その設定はボタン電話機３から行われる。作業用記憶領域１５２は、各制御処理を実施するに当たって一時的に使用される領域である。プログラム蓄積記憶領域１５３は、ボタン電話主装置を制御するためのプログラムを蓄積する領域である。
【００１７】
ボタン電話機３は、送受話器３１と、操作部３２と、演算部（ＣＰＵ）３４と、主装置伝送部３５と、表示部３６と、メモリ３７とを有している。
【００１８】
送受話器３１は、送話および受話の音声通話に用いる送受話器であり、音声通話における受話方向の音声出力装置である受話器３１１と、音声通話における送話方向の音声信号出力装置である送話器３１２とを有している。
【００１９】
操作部３２は、機能キー、ダイヤルキーなどのボタン電話機のマンマシンインタフェースの操作部である。
【００２０】
ＮＷ３３は、送受話器３１の音声と主装置伝送部１２を通して伝送するための信号間の変換処理等を行う手段である。
【００２１】
演算部３４は、ボタン電話機のおける各機能ブロックの制御と監視を行い、ボタン電話機としても機能を実現するための中枢処理を行う手段である。
【００２２】
主装置伝送部３５は、ボタン電話機３とボタン電話主装置１間の表示データ、制御データ、ダイヤルデータおよび音声通話データ等を受信するためのボタン電話機側の主装置間通信インタフェースである。
【００２３】
表示部３６は、ボタン電話主装置１からもしくはボタン電話機３の内部処理により制御されるランプ、ＬＣＤ（電話番号表示）などの表示部である。
【００２４】
メモリ３７は、各制御処理実施に一時的に使用する作業用記憶領域３７とボタン電話機を制御するためのプログラムを蓄積するためのプログラム蓄積記憶領域３７２とを有する記憶手段である。
【００２５】
外線５は、アナログ回線、ＩＳＤＮ回線の構内交換機、ＯＤ／ＬＤなどの専用線、ＶｏＩＰ等の外線である。
【００２６】
このようなボタン電話システムにおける、本発明にかかるネームディスプレイデータ表示方法を説明する。図２を用いて、網からのネームディスプレイデータが１０文字（株式会社フナヤマ工業）でありボタン電話機３の表示部３６の表示可能桁数が８桁の場合の表示例を説明する。表示例（１）は、ネームディスプレイデータの一部を変換してボタン電話機３の表示部に表示できるようにした例であり、ボタン電話主装置１に予め設定したデータとネームディスプレイデータ中のデータが一致した場合に、予め設定した他の文字に変換して表示部３６へ表示する例であり、例えば「株式会社」を「（株）」に変換して表示することにより、表示部３６には、「（株）フナヤマ工業」と７桁で表示が可能となる。表示例（２）は、ネームディスプレイデータの一部を削除してボタン電話機３の表示部に表示できるようにした例であり、ボタン電話主装置１に予め設定したデータとネームディスプレイデータ中のデータが一致した場合に、ネームディスプレイデータ中のデータの予め設定したデータを削除して表示部３６へ表示する例であり、例えば「株式会社」を削除して表示することにより、表示部３６には、「フナヤマ工業」と６桁で表示が可能となる。表示例（３）は、ネームディスプレイデータがボタン電話機３の表示部に一度に表示できない場合に段階を分けて表示するようにした例であり、
ネームディスプレイデータを全表示できない場合に、先ず８桁のデータを表示し、その後操作部３２のいずれかのキーを操作することによって、残りのデータを表示する例であり、例えば、「株式会社フナヤマ」を第１の画面として表示した後に操作部３６のキーを操作することにより残りの「工業」を第２の画面として表示することにより、表示部３６に「株式会社フナヤマ工業」を表示することが可能となる。この場合、例えば、第１の表示画面の最後の文字「マ」を反転文字とすることによって、未表示のデータが存在することを示すことができる。
【００２７】
図３〜図５を用いて、上記表示方法の処理を説明する。図３を用いて、ネームディスプレイ比較データおよび変換／削除選択データの設定処理を説明する。
【００２８】
先ず、ボタン電話機３をデータ設定モードにする（ステップＳ１）。次いで、比較データのコマンド番号を入力する（ステップＳ２）。その後、登録しようとする比較データエリアの項番号、たとえば＃０１、＃０２を入力する（ステップＳ３）。次に、変換または削除を選択する変換／削除選択データを入力する（ステップＳ４）。その後、比較すべきデータ、例えば株式会社、有限会社等を入力する（ステップＳ５）。その後、操作者は変換データとして使用するか否化を判断し（ステップＳ６）、変換データとして使用する場合（Ｙｅｓ）には、変換データ、例えば（株）を入力した（ステップ７）後、データ登録操作を実行しデータを設定データ記憶領域１５１に保存する（ステップＳ８）。ステップＳ６において変換データとして使用しない場合（Ｎｏ）には、ステップＳ８に進みデータ登録操作を実行する。
【００２９】
登録しようとする全ての変換／削除データの登録が終了したか否かを判断し（ステップＳ９）、終了した場合（Ｙｅｓ）には、データ設定モード終了操作を行い（ステップＳ１０）、待機モードに戻る。ステップＳ９の判断において、登録すべきデータがまだある場合（Ｎｏ）には、比較データエリアの項番号が有効か否か、すなわち他のデータの登録が可能であるか否かを判断し（ステップＳ１１）、有効である場合（Ｙｅｓ）には、次の項番号を入力した（ステップＳ１２）後、ステップＳ４に戻って次のデータの登録処理を行う。
【００３０】
ステップＳ１１の判断において、比較データの項番号が有効でないとき（Ｎｏ）には、表示部３６にエラーを表示し（ステップＳ１３）、操作者がエラー表示解除操作を行うと（ステップＳ１４）、ステップＳ２に戻って、登録操作を実行する。
【００３１】
このようにして、ボタン電話主装置１の設定データ記憶領域１５１に変換／削除データを予め登録することができる。
【００３２】
次に、図３の処理によって設定された変換／削除選択データを用いて、本発明の表示方法を行う処理方法を説明する。外線に着信がありネームディスプレイデータを受信すると（ステップＳ２１）、受信したネームディスプレイデータの先頭のネームディスプレイ比較エリアを選出する（ステップＳ２２）。ネームディスプレイ比較エリアのデータを図３の処理によって設定データ記憶領域１５１に保存したネームディスプレイデータと比較する（ステップＳ２３）。
【００３３】
両者が不一致であるか否かを判断し（ステップＳ２４）、一致する場合（Ｎｏ）には、該当するネームディスプレイデータの変換／削除選択データをチェックし（ステップＳ２５）、変換か否かを判断する（ステップＳ２６）。変換の場合（Ｙｅｓ）には、対応する変換データエリアを選出し（ステップＳ２７）、ネームディスプレイ変換データ内のデータをデータ数だけ作業用記憶領域１５２内に設けた表示バッファにセットする（ステップＳ２８）。次に、一致したデータの次の桁以降のネームディスプレイデータを表示バッファにセットする（ステップＳ２９）。その後、ステップＳ３３に進み表示バッファ内のデータ桁数が表示部３６の桁数より大きいかどうかを判断する。
【００３４】
一方、ステップＳ２４において、両者が不一致の場合には、次のネームディスプレイ比較エリアを選出し（ステップＳ３０）、選出した比較エリアが無効か否か、すなわち比較回数が終了したか否かを判定する（ステップ３１）。エリアが無効でない場合には、ステップＳ２３に戻り次のデータとの比較を行う。ステップＳ３１において、比較回数が終了した場合には、ネームディスプレイデータを表示バッファにセットし（ステップＳ３２）、表示バッファ内のデータの桁数が表示部３６の桁数より大きいか否かを判断する（ステップＳ３３）。ステップＳ３３の判断において、表示バッファ内のデータの桁数が表示部３６の桁数より大きい場合には、表示状態を第２の状態、例えば表示状態フラグを１として（ステップＳ３４）、表示エリアの最終桁の位置にあたる表示バッファ位置のデータを白黒反転データに変換する（ステップＳ３５）。次に表示エリア桁数分のデータを表示バッファの先頭から表示エリアにコピーする（ステップＳ３７）。その後、表示エリア内のデータを電話機伝送部１２からボタン電話機３へ転送し（ステップＳ３８）、ボタン電話機３の表示部３６に表示する（ステップＳ３９）。
【００３５】
ステップＳ３３の判断において、表示バッファ内のデータの桁数が表示エリアの桁数以内である場合には、表示状態を第１の表示として（ステップＳ３６）、前述したステップＳ３７へ移行する。
【００３６】
ステップＳ２６の判断において、変換／削除選択データが変換でないとき、すなわち削除であるときに（Ｎｏ）は、比較一致した次の桁以降のネームディスプレイデータを表示バッファにセットし（ステップＳ４０）、ステップＳ３３へ移行する。
【００３７】
このようにして、外線着信時に、表示部３６の桁数より多いネームディスプレイデータを段階的に表示したり、ネームディスプレイデータの慣用部分を短縮形に変換したり削除可能な部分を削除して表示部３６内に表示することができる。
【００３８】
次に、図５を用いて、図４のステップＳ３３における判断で、表示バッファ内のデータの桁数が表示部３６の桁数より大きい場合（表示桁数オーバーフロー時）の処理について説明する。ステップＳ３９の処理によって、ボタン電話機３のネームディスプレイデータを表示部３６に表示中（ステップＳ５１）に、改行キーを押し下げる（ステップＳ５２）と、ボタン電話主装置１は、現在の表示状態をチェックし（ステップＳ５３）、表示状態フラグを参照して図３のステップＳ３４で設定された第２の表示状態（すなわち、オーバフロー表示状態）か否かを判断する（ステップＳ５４）。
【００３９】
ステップＳ５４において、オーバフロー表示状態を表わす第２の表示状態であるときには、表示エリアをクリアにして（ステップＳ５５）、現状の表示データ桁数以降の表示バッファ内のデータを表示エリアにセットする（ステップＳ５６）。次いで、表示状態を残りデータ表示状態である第３の表示状態にセットし（ステップＳ５７）、表示エリア内のデータを電話機伝送部１２からボタン電話機３へ送信する（ステップＳ５８）。ボタン電話機３は表示部３６の送られてきた残りデータを表示する（ステップＳ５９）。
【００４０】
ステップＳ５４の判断において、オーバフロー状態を表わす第２の表示状態でないとき（Ｎｏ）には、残りデータを表示している第３の状態であるか否かを判断する（ステップＳ６０）。第３の表示状態であるときには、表示バッファ内の先頭データから表示エリア桁数分だけ表示エリアへセットし（ステップＳ６１）、表示状態を第２の表示状態にセットした後（ステップＳ６２）、ステップＳ５８に移行して表示エリア内のデータを電話機伝送部１２からボタン電話機３へ送信する。
【００４１】
ステップＳ６０において第３の表示状態でないときには、ステップＳ５９へ移行する。
【００４２】
ここで、図６を用いて、ボタン電話主装置１におけるメモリ１５の各領域の使用方法を説明する。作業用記憶領域１５２には、外線５から受信するネームディスプレイデータを保存するネームディスプレイデータ受信バッファが形成される。設定データ記憶領域１５１には、外線から受信したネームディスプレイデータと比較するとともに一致した場合にデータを変換するか削除するかの変換／削除選択データを保存するエリアであるネームディスプレイ比較エリアと、変換データを格納するネームディスプレイ変換データエリアが形成される。ネームディスプレイ変換データエリアの項番号は、ネームディスプレイ比較エリアの項番号と対応して設定される。作業用記憶領域１５２には、さらに、表示バッファと表示エリアが形成される。表示バッファは、ボタン電話機への表示データを保存するエリアであり、さらに、１桁からｍ桁目までを表示しているか、ｍ＋１桁目以降を表示しているかを記憶しているエリアである。表示エリアは、ボタン電話機へ送信するデータを格納するエリアである。
【００４３】
【発明の効果】
以上のように、本発明によれば、ネームディスプレイサービスに対応した電話機において、表示部の表示桁数に制限があっても発信者を特定できるネームディスプレイデータ表示方法を提供することができる。
【図面の簡単な説明】
【図１】本発明にかかるネームディスプレイデータ表示方法が適用されるボタン電話システムの構成の概要を示す機能ブロック図
【図２】本発明にかかるネームディスプレイデータ表示方法の表示例を説明する
【図３】本発明にかかるネームディスプレイデータ表示方法における比較データおよび変換／削除選択データの設定処理を説明するフローチャート
【図４】本発明にかかるネームディスプレイデータ表示方法における表示変換処理を説明するフローチャート
【図５】本発明にかかるネームディスプレイデータ表示方法における表示桁オーバフロー時の処理を説明するフローチャート
【図６】本発明にかかるネームディスプレイデータ表示方法におけるメモリの使用方法を説明する図
【符号の説明】
１  ボタン電話主装置
３  ボタン電話機
５  外線
１１  ＮＷ
１２  電話機伝送部
１３  演算部（ＣＰＵ）
１４  外線インタフェース部
１５  メモリ
３１  送受話器
３２  操作部
３３  ＮＷ
３４  演算部（ＣＰＵ）
３５  主装置伝送部
３６  表示部
３７  メモリ
【図１】
2004336376.tif 000003
【図２】
2004336376.tif 000004
【図３】
2004336376.tif 000005
【図４】
2004336376.tif 000006
【図５】
2004336376.tif 000007
【図６】
2004336376.tif 000008